(57)【要約】      （修正有）【課題】電気配線の機能を持たせた回路芯材の略全体を外装基材で覆ってスライドベースを構成するに際し、スライドベース内の電気配線を所定位置に安定して固定できるようにする。【解決手段】情報記録面と略平行に移動されるスライドベース２１は、二軸アクチュエータ２４に電気を供給する電気回路を形成する導電体からなる回路芯材と、回路芯材の表面の略全体を被覆する絶縁体からなる外装基材２７ｂと、回路芯材の外側に連続されると共に射出成形により外装基材２７ｂで回路芯材を被覆した後に回路芯材から切除される外部フレームとからなり、外部フレームには、被覆時に射出成形用の金型に位置決めするための２以上の位置決め穴を設け、２以上の位置決め穴に金型に設けた２以上の位置決めピンを嵌合させて回路芯材を金型に位置決めした状態で回路芯材に一体成形する。【選択図】        図１
2004213710.tif 000002
【特許請求の範囲】
【請求項１】
ディスク状記録媒体の情報記録面に対向される対物レンズを有する対物レンズ駆動装置と、  前記情報記録面に光ビームを照射して情報信号の読み出し及び／又は書き込みを行う光学系装置が搭載され、前記情報記録面と略平行に移動されるスライドベースと、を備えた光ピックアップ装置において、
前記スライドベースは、前記対物レンズ駆動装置に電気を供給する電気回路を形成する導電体からなる回路芯材と、前記回路芯材の表面の略全体を被覆する絶縁体からなる外装基材と、前記回路芯材の外側に連続されると共に射出成形により前記外装基材で回路芯材を被覆した後に当該回路芯材から切除される外部フレームとからなり、
前記回路芯材及び前記外部フレームには、前記被覆時に前記射出成形用の金型に位置決めするための２以上の位置決め穴を設け、前記２以上の位置決め穴に前記金型に設けた２以上の位置決めピンを嵌合させて回路芯材及び外部フレームを金型に位置決めした状態で射出成形により外装基材を回路芯材に一体成形したことを特徴とする光ピックアップ装置。
【請求項２】
前記回路芯材は、前記射出成形時には電気回路として不要な連通部又は分離が必要とされる連通部を有し、前記外装基材には、前記連通部を露出させる開口部を設け、射出成形後に前記開口部を用いて前記連通部を切断したことを特徴とする請求項１記載の光ピックアップ装置。
【請求項３】
前記開口部は、前記連通部を支持するため前記金型に設けられた支持ピンによって形成したことを特徴とする請求項２記載の光ピックアップ装置。
【請求項４】
前記回路芯材に高さ方向の段差を設定する段部を設け、異なる高さ位置において電子部品を実装可能としたことを特徴とする請求項１記載の光ピックアップ装置。
【請求項５】
ディスク状記録媒体を回転駆動するディスク回転装置と、
前記ディスク状記録媒体の情報記録面に対して情報信号の記録及び／又は再生を行う光ピックアップ装置と、を備えた光情報記録及び／又は再生装置において、
前記光ピックアップ装置は、前記情報記録面に対向される対物レンズを有する対物レンズ駆動装置と、前記情報記録面に光ビームを照射して情報信号の読み出し及び／又は書き込みを行う光学系装置が搭載されると共に当該情報記録面と略平行に移動されるスライドベースとを有し、
前記スライドベースは、前記対物レンズ駆動装置に電気を供給する電気回路を形成する導電体からなる回路芯材と、前記回路芯材の表面の略全体を被覆する絶縁体からなる外装基材と、前記回路芯材の外側に連続されると共に射出成形により前記外装基材で回路芯材を被覆した後に当該回路芯材から切除される外部フレームとからなり、
前記回路芯材及び前記外部フレームには、前記被覆時に前記射出成形用の金型に位置決めするための２以上の位置決め穴を設け、前記２以上の位置決め穴に前記金型に設けた位置決めピンを嵌合させて回路芯材及び外部フレームを金型に位置決めした状態で射出成形により外装基材を回路芯材に一体成形したことを特徴とする光情報記録及び／又は再生装置。
【発明の詳細な説明】
【０００１】
【発明の属する技術分野】
本発明は、光ディスクや光磁気ディスク等の光学ディスクの情報記録面に対して光ビームを集光させる光ピックアップ装置及び、この光ピックアップ装置を用いて情報記録面に対して情報信号の記録（書込み）及び／又は再生（読出し）を行う光情報記録及び／又は再生装置に関し、特に、電気回路を形成する導電体からなる回路芯材と絶縁体からなる外装基材とでスライドベースが構成された光ピックアップ装置及び光情報記録及び／又は再生装置に関するものである。
【０００２】
【従来の技術】
従来、一般に、光情報記録再生装置は、光学ディスクを所定速度で回転駆動するディスク回転装置と、光学ディスクの情報記録面上に光ビームを集光させる対物レンズを有する対物レンズ駆動装置を備えた光ピックアップ装置と、この光ピックアップ装置を光学ディスクの情報記録面に沿って移動させるピックアップ移動装置等によって構成されている。そして、光ピックアップ装置により出射される光ビームを、光学ディスクのデータレコーディングトラックに沿って連続させて照射し、そのトラックにより反射された戻りの光ビームに基づいてデータの記録（書込み）及び／又は再生（読出し）が行われる。
【０００３】
従来の、この種の光情報記録再生装置に用いられる光ピックアップ装置としては、例えば、図１４に示すような構成のものが知られている。この光ピックアップ装置１は、対物レンズ駆動装置である二軸アクチュエータ２と、この二軸アクチュエータ２が搭載されるスライドベース３と、二軸アクチュエータ２に電力を供給するための電気回路が設けられたフレキシブル・フラット・ケーブル（以下「ＦＦケーブル」という。）４と、二軸アクチュエータ２の防護カバー５等を備えて構成されている。
【０００４】
二軸アクチュエータ２は、スライドベース３に固定される支持部材６及びヨーク７と、支持部材６に取り付けられている一対の可撓性を有するサスペンションワイヤ８，８と、これらサスペンションワイヤ８、８の先端に支持されているレンズホルダ９と、このレンズホルダ９に取り付けられている対物レンズ１０等を備えている。そして、レンズホルダ９には、フォーカス用及びトラッキング用のムービングコイル１１が取り付けられている。更に、ヨーク７には互いに対向される一対の立ち上げ片７ａ，７ａが形成されており、各立ち上げ片７ａにはマグネット１２が取り付けられている。このマグネット１２とムービングコイル１１との間に磁気回路が形成されている。
【０００５】
また、スライドベース３には、光ビームが通過される光路穴３ａが設けられている。この光路穴３ａの上方に対物レンズ１０を臨ませるように二軸アクチュエータ２がスライドベース３の上面に取り付けられる。そして、二軸アクチュエータ２を覆うように防護カバー５がスライドベース３に装着される。この防護カバー５には、光ビームを通過させるための開口窓５ａが設けられている。更に、スライドベース３の下面には角筒状のカプラ取付部３ｂが設けられており、このカプラ取付部３ｂの下端部にレーザカプラ１３が取り付けられる。
【０００６】
このレーザカプラ１３内のレーザ光源である半導体レーザから光ビームが放射される。この半導体レーザから放射されて上方に向かう光ビームは、スライドベース３に形成されている光路穴３ａを通過して二軸アクチュエータ２の対物レンズ１０に到達し、この対物レンズ１０で絞られて光ディスクの情報記録面に照射される。対物レンズ１０を通過した光ビームは、情報記録面で反射されて対物レンズ１０に戻り、再び対物レンズ１０を通過してレーザカプラ１３内の光検出器に照射される。この戻りの光ビームにより、情報記録面に記録されている情報信号の読み出しが行われ、同時にフォーカス誤差信号及びトラッキング誤差信号が検出される。
【０００７】
ＦＦケーブル４には、二軸アクチュエータ２を駆動制御するための電子部品１４等が実装されている。ＦＦケーブル４は、一側に突出する第１の接続部４ａと、他側に突出する第２の接続部４ｂとを有し、コネクタ１５を介して外部配線と接続される。第１の接続部４ａの先端部はフォーカス及びトラッキング用ムービングコイル１１への給電用として支持部材６に接続され、第２の接続部４ｂの先端部はレーザカプラ１３への給電用としてその底面に接続される。このＦＦケーブル４は、配線基板１６を介してスライドベース３の側面に取り付けられる。
【０００８】
また、従来の光ピックアップ装置としては、例えば、特許文献１に記載されているようなものもある。この特許文献１には、強度を損なうことなく寸法精度を向上させ且つ軽量化を図ることができる光ピックアップが記載されている。この光ピックアップは、光ディスクの信号記録面にビーム光を照射し、該ビーム光の信号記録面で反射された戻り光を検出する光ピックアップであって、光ディスクの半径方向に移動するスライドベースに光源及びその他の所要部品が搭載されてなり、上記スライドベースは合成樹脂部分に板金部分をアウトサート成形して形成した、ことを特徴としている。この光ピックアップでは、寸法精度を要する部分を合成樹脂部分として形成し、当該合成樹脂部分に板金部分をインサート成形することによって必要な精度を出し、これにより寸法精度の向上と軽量化を図っている。
【０００９】
【特許文献１】
特開２００１−６７７１８号公報（第２頁、図２）
【００１０】
【発明が解決しようとする課題】
しかしながら、このような従来の光ピックアップ装置においては、装置内部ではフォーカス用及びトラッキング用ムービングコイル１１並びにレーザカプラ１３への給電用としてＦＦケーブル４を使用し、また、外部接続にはコネクタ１５を使用してコネクタ１５を介して外部配線とＦＦケーブル４の電気回路とを接続する構成となっていた。そのため、ＦＦケーブル４及びコネクタ１５の使用にはこれらを取り付けるための部品が必要になることから、その取付部品も含めて使用する部品点数を増大させるばかりでなく、これらを取り付ける作業が必要になり、その結果、コスト高を招いて光ピックアップ装置が高価なものになるという課題があった。
【００１１】
更に、従来の光ピックアップ装置では、レーザカプラ１３やホログラムレーザユニット等の半導体レーザや光検出器をパッケージ内にマウントして封止した部品を使用していたため、その部品をマウントしたり封止したりするためのコストが必要となるうえに、取付時においてレーザカプラ１３の調節が必要になるため、組立工数が増加されてコスト高を招くという課題もあった。
【００１２】
本発明は、このような従来の課題に鑑みてなされたものであり、電気配線の機能を持たせた回路芯材の略全体を外装基材で覆ってスライドベースを構成するに際し、スライドベース内の電気配線を所定位置に安定して固定できるようにする。このスライドベースに半導体レーザや光検出器その他の電子部品を実装することにより、ＦＦケーブルの使用を可及的に少なくし、小型化、低コスト化を図ると共に、外装基材に対する回路芯材の位置精度を高め、射出成形時における歩留りを向上させ、組立作業性を向上させることができる光ピックアップ装置及び、その光ピックアップ装置を用いた光情報記録及び／又は再生装置を提供することを目的としている。
【００１３】
【課題を解決するための手段】
前記した課題等を解決し、前記目的を達成するために、本出願の請求項１記載の光ピックアップ装置は、ディスク状記録媒体の情報記録面に対向される対物レンズを有する対物レンズ駆動装置と、情報記録面に光ビームを照射して情報信号の読み出し及び／又は書き込みを行う光学系装置が搭載され、情報記録面と略平行に移動されるスライドベースと、を備えた光ピックアップ装置において、スライドベースは、対物レンズ駆動装置に電気を供給する電気回路を形成する導電体からなる回路芯材と、回路芯材の表面の略全体を被覆する絶縁体からなる外装基材と、回路芯材の外側に連続されると共に射出成形により外装基材で回路芯材を被覆した後に回路芯材から切除される外部フレームとからなり、回路芯材及び外部フレームには、被覆時に射出成形用の金型に位置決めするための２以上の位置決め穴を設け、２以上の位置決め穴に金型に設けた２以上の位置決めピンを嵌合させて回路芯材及び外部フレームを金型に位置決めした状態で射出成形により外装基材を回路芯材に一体成形したことを特徴としている。
【００１４】
本出願の請求項２記載の光ピックアップ装置は、回路芯材は、射出成形時には電気回路として不要な連通部又は分離が必要とされる連通部を有し、外装基材には、連通部を露出させる開口部を設け、射出成形後に開口部を用いて連通部を切断したことを特徴としている。
【００１５】
本出願の請求項３記載の光ピックアップ装置は、開口部は、連通部を支持するため金型に設けられた支持ピンによって形成したことを特徴としている。
【００１６】
本出願の請求項４記載の光ピックアップ装置は、回路芯材に高さ方向の段差を設定する段部を設け、異なる高さ位置において電子部品を実装可能としたことを特徴としている。
【００１７】
本出願の請求項５記載の光情報記録及び／又は再生装置は、ディスク状記録媒体を回転駆動するディスク回転装置と、ディスク状記録媒体の情報記録面に対して情報信号の記録及び／又は再生を行う光ピックアップ装置と、を備えた光情報記録及び／又は再生装置において、光ピックアップ装置は、情報記録面に対向される対物レンズを有する対物レンズ駆動装置と、情報記録面に光ビームを照射して情報信号の読み出し及び／又は書き込みを行う光学系装置が搭載されると共に情報記録面と略平行に移動されるスライドベースとを有し、スライドベースは、対物レンズ駆動装置に電気を供給する電気回路を形成する導電体からなる回路芯材と、回路芯材の表面の略全体を被覆する絶縁体からなる外装基材と、回路芯材の外側に連続されると共に射出成形により外装基材で回路芯材を被覆した後に回路芯材から切除される外部フレームとからなり、回路芯材及び外部フレームには、被覆時に射出成形用の金型に位置決めするための２以上の位置決め穴を設け、２以上の位置決め穴に金型に設けた位置決めピンを嵌合させて回路芯材及び外部フレームを金型に位置決めした状態で射出成形により外装基材を回路芯材に一体成形したことを特徴としている。
【００１８】
前記構成としたことにより、本出願の請求項１記載の光ピックアップ装置では、回路芯材及び外部フレームに設けた２以上の位置決め穴に金型に設けた２以上の位置決めピンを嵌合することによって金型内に回路芯材を位置決めし、その位置決め状態で外装基材をインサート成形して回路芯材と一体化させることができる。これにより、合成樹脂の流動等に伴う回路芯材の位置ヅレや撓みを防止し、スライドベース内の電気回路の配線を安定して所定位置に固定することができる。更に、電気配線の機能を有する回路芯材が外装基材に一体成形されるため、ＦＦケーブルやコネクタ等の配線部品の使用数や使用量を少なくすることができ、取付作業工数の低減とコスト削減を図ることができる。
【００１９】
本出願の請求項２記載の光ピックアップ装置では、回路芯材が電気回路として不要な連通部又は分離が必要とされる連通部を有する場合においても、外装基材の射出成形後、外装基材に設けた開口部を用いて連通部を切断することにより、射出成形時における回路芯材の部分的な変形を防止し、スライドベース内の細かな配線形状を所定形状に維持することができる。
【００２０】
本出願の請求項３記載の光ピックアップ装置では、回路芯材の連通部を支持するため金型に設けた支持ピンで外装基材の開口部を形成することにより、金型の構造が複雑化されるのを防止することができる。
【００２１】
本出願の請求項４記載の光ピックアップ装置では、回路芯材には高さ方向の段差を設定する段部が設けられているため、この段部を利用して電子部品を実装することにより、異なる高さ位置に所望の電子部品を立体的に配置することができる。
【００２２】
本出願の請求項５記載の光情報記録及び／又は再生装置では、光ピックアップ装置のスライドベースが回路芯材と外装基材と外部フレームとからなり、その外部フレームに設けた２以上の位置決め穴に金型に設けた２以上の位置決めピンを嵌合することによって金型内に回路芯材を位置決めし、その位置決め状態で外装基材をインサート成形して回路芯材と一体化させることができる。これにより、内部に電気配線の機能を持たせることで小型化、低コスト化されたスライドベースを用いて光情報記録及び／又は再生装置を構成することができ、装置全体の小型化、軽量化を図ることができる。
【００２３】
【発明の実施の形態】
以下、本発明の実施の形態について添付図面を参照して説明する。図１〜図１３は本発明の実施の例を示すものである。即ち、図１は本発明の光ピックアップ装置の一実施例を示す斜視図、図２は同じく光ピックアップ装置の分解斜視図、図３は光ピックアップ装置の裏面の要部を示す斜視図、図４は光学系を示す説明図、図５は回路芯材と外部フレームを示す平面図、図６は回路芯材に外装基材が一体成形された状態を示す平面図、図７は図５の回路芯材等に対応した構成を有する金型（下型）の一例を示す斜視図、図８は図７の金型に図５の回路芯材等を装着した状態を示す斜視図、図９は図８の要部を拡大して示す斜視図、図１０は射出成形時の金型の要部を断面して示す図、図１１は更に金型の他の部分を断面して示す図、図１２は図１の光ピックアップ装置を用いた光情報記録及び／又は再生装置の一実施例を示す斜視図、図１３は同じく概略構成を示すブロック説明図である。
【００２４】
図１乃至図３に示すように、本発明の光ピックアップ装置の好適な形態をなす第１の実施例として示す光ピックアップ装置２０は、導電性の板材からなる回路芯材２７ａを絶縁性の樹脂系材料からなる外装基材２７ｂで覆うことにより形成されたスライドベース２１と、このスライドベース２１に搭載された対物レンズ駆動装置の一具体例を示す二軸アクチュエータ２４と、情報信号の記録及び／又は再生のために光ビームを放射するレーザ光源２５と、このレーザ光源２５から放射された後に光学ディスクの情報記録面により反射された戻りの光ビームを受光する光検出器２６等を備えて構成されている。
【００２５】
図１及び図２に示すように、スライドベース２１は平面形状が略長方形をなしていて、その長手方向の一側部には主軸受５２が設けられ、長手方向の他側部には副軸受５３が設けられている。このスライドベース２１は、導電性の金属板（例えば、薄い銅板等）によって所定の配線形状に形成されることにより電気回路を構成する回路芯材２７ａと、この回路芯材２７ａの表裏面における必要な部分を露出させて他の部分を覆う絶縁性の材料により形成された外装基材２７ｂとによって一体に構成されている。外装基材２７ｂの材質としては、例えば、非磁性体の樹脂系材料（例えば、液晶ポリマー等）を用いることができる。しかしながら、樹脂系材料に限定されるものではなく、磁性体で無ければ金属を用いることができ、また、セラミックス等を適用することもできる。
【００２６】
このスライドベース２１は、回路芯材２７ａを骨材として、これに外装基材２７ｂを肉付けするようにして製造される。例えば、回路芯材２７ａを中子のように用いて金型内にセットした後、その金型の空間部に外装基材２７ｂの樹脂系材料を充填し、射出成形によって一体に構成することができる。そのため、回路芯材２７ａは、図５に示すように、その外側を囲う外部フレーム２８と一体に形成されて側方から支持されている。
【００２７】
外部フレーム２８は、回路芯材２７ａを後述する金型の所定位置に固定して位置決めするためのもので、四角形の枠体をなす外枠部２８ａと、この外枠部２８ａの内側に配置された内枠部２８ｂと、これらの一方又は両方に連続された第１の補強部２８ｃと、これらとは別体に設けられた第２の補強部２８ｄとによって構成されている。内枠部２８ｂは平面形状が略コ字状をなしていて、その開口側の両端部が外枠部２８ａの一辺の内縁に連続されている。また、第１の補強部２８ｃは内枠部２８ｂの一辺の内縁に連続され、第２の補強部２８ｄは第１の補強部２８ｃと所定の間隔をあけて単独にて配置されている。
【００２８】
これら外枠部２８ａ、内枠部２８ｂ、第１及び第２の補強部２８ｃ，２８ｄの内側に回路芯材２７ａが配置され、それぞれから延在された多数の接続部によって連続されている。回路芯材２７ａは、所定の配線形状に形成された多数の配線（電子機器の実装用スペース、放熱用スペース等を含む。）の回路集合体からなり、この回路集合体には、電気回路として連通されるべきでない連通部（要切断部）２９ａや、後に切り取って所定の電気回路から分離すべき連通部（要分離部）２９ｂが含まれる。これらの連通部（要切断部２９ａ、要分離部２９ｂ）が存在する理由は、射出成形時において、溶けた外装基材２７ｂの注入圧力によって各配線が撓んだり、折れ曲がったりするのを防止するためである。これら電気回路の要切断部２９ａ及び要分離部２９ｂは、外装基材２７ｂの射出成形後において、刃物等を使用して切断し若しくは分離するようにする。
【００２９】
外部フレーム２８には、これを金型の所定位置に位置決めして固定するための多数の位置決め穴が設けられている。この実施例では、その目的に応じて穴の直径を変化させた３種類の位置決め穴３０ａ，３０ｂ，３０ｃが外部フレーム２８に設けられている。最も大きな直径を有する第１の位置決め穴３０ａは外部フレーム２８全体の位置決めをなすもので、外枠部２８ａの四隅の４箇所に配置されている。中程度の直径を有する第２の位置決め穴３０ｂは内枠部２８ｂの位置決めをなすもので、内枠部２８ｂの適当な位置の４箇所に配置されている。最も小さな直径の第３の位置決め穴３０ｃは、第１及び第２の補強部２８ｃ，２８ｄや外枠部２８ａの一辺から内側に突出された突出部２８ｅの位置決めをなすもので、補強部２８ｃ，２８ｄでは略中央部に１個ずつ設けられ、複数の突出部２８ｅではそれぞれの根元部分に設けられている。
【００３０】
図９に示すように、内枠部２８ｂ及び突出部２８ｅ並びに回路芯材２７ａには適当な大きさの高さ方向の段差を設定する複数の段部３１ａ，３１ｂが設けられている。外側の高さ変化の少ない第１の段部３１ａは、金型に対する回路芯材２７ａの基準面を設定するためのものである。また、内側の高さ変化の大きな第２の３１ｂは、回路芯材２７ａの所定の部位を所定の高さ位置に設定するためのものである。この第２の段部３１ｂは、基準面から上方に立ち上げられた上向き段部と、基準面から下方に立ち下げられた下向き段部とを有している。
【００３１】
このような構成を有する回路芯材２７ａ及び外部フレーム２８を用いるのに好適な金型（下型）の一実施例を図７に示す。図７において、下金型１００の合わせ面１０２ａの略中央部には、外部フレーム２８の内枠部２８ｂに対応した大きさの略四角形をなす凹陥部１０１が設けられている。更に、合わせ面１０２ａには凹陥部１０１を囲うように４個の第１の位置決めピン１０３ａが設けられている。これら第１の位置決めピン１０３ａには、外部フレーム２８の外枠部２８ａに設けた４個の第１の位置決め穴３０ａがそれぞれ嵌合される。凹陥部１０１内には、４個の第２の位置決めピン１０３ｂが設けられている。これら第２の位置決めピン１０３ｂには、外部フレーム２８の内枠部２８ｂに設けた４個の第２の位置決め穴３０ｂがそれぞれ嵌合される。
【００３２】
更に、下金型１００の合わせ面１０２ａには、外部フレーム２８に設けた５個の第３の位置決め穴３０ｃに対応した５個の第３の位置決めピン１０３ｃが設けられている。５個の第３の位置決めピン１０３ｃのうち、３個の位置決めピン１０３ｃは凹陥部１０１内に立設されているが、残り２個の位置決めピン１０３ｃは合わせ面１０２ａと同じ高さとされた２つの支持面１０２ｂ，１０２ｂに立設されている。凹陥部１０１内の略中央部には、回路芯材２７ａに装着される外装基材２７ｂの外形を成形するための空間部分１０４が形成されている。
【００３３】
下金型１００の空間部分１０４には、回路芯材２７ａの所定部分を略点状に支える７個の支えピン１０５ａと、同じく回路芯材２７ａの所定部分を略線状に支える６個の支え突条１０５ｂとが設けられている。７個の支えピン１０５ａは、図１０に示すように回路芯材２７ａの所定部分を支え、射出成形時の原料注入圧力による電気回路その部分の撓みや変形を防止する役割を有する。同様に、６個の支え突条１０５ｂは、図１１に示すように回路芯材２７ａの所定部分を支え、同じく射出成形時の原料注入圧力による電気回路その部分の撓みや変形を防止する役割を有する。
【００３４】
このような構成を有する下金型１００に、回路芯材２７ａを保持する外部フレーム２８を装着した状態を図８に示す。この場合、下金型１００の４個の第１の位置決めピン１０３ａに外部フレーム２８の４個の第１の位置決め穴３０ａを嵌合し、同じく４個の第２の位置決めピン１０３ｂに４個の第２の位置決め穴３０ｂを嵌合する。そして、５個の第３の位置決めピン１０３ｃに５個の第３の位置決め穴３０ｃを嵌合する。これにより、外部フレーム２８を介して回路芯材２７ａが下金型１００の空間部分１０４の所定位置に位置決めされると共に、複数の支持ピン１０５ａ及び支持突条１０５ｂによって支持される。
【００３５】
このように回路芯材２７ａ等が装着される下金型１００と、これと対をなす上金型を図示しない射出成形機に用いることにより、図６に示すように、回路芯材２７ａに外装基材２７ｂが一体化されたスライドベース２１を製造することができる。図１０及び図１１は、上述した下金型１００に、これと対をなすように形成された上金型１１０を重ね合わせ、スライドベース２１を射出成形した状態の要部を断面して示す説明図である。
【００３６】
図１０及び図１１において、符号１１０は、下金型１００と組み合わされた上金型である。上下金型１１０，１００の合わせ面を突き合わせるによってその内部に、回路芯材２７ａに装着される外装基材２７ｂのための空間部分が形成されている。図１０は、空間部分に収容された回路芯材２７ａを、下金型１００に設けた複数の支えピン１０５ａと上金型１１０の内面で挟持した状態を示すものである。また、図１１は、下金型１００の支え突条１０５ｂと、これに対応するよう上金型１１０に設けた支え突条１１１とで回路芯材２７ａを挟持した状態を示すものである。この空間部分の回路芯材２７ａを除く部分に、外装基材２７ｂの溶融された材料が適当な圧力によって注入される。
【００３７】
このように回路芯材２７ａを支えピン１０５ａで支持し、或いは一対の支え突条１０５ｂ，１１１で両側から挟んで支持することにより、外装基材２７ｂの材料が注入される際の圧力によって回路芯材２７ａに撓みや変形が生じるのを確実に防止することができる。また、射出成形後の外装基材２７ｂには、支えピン１０５ａが抜けた後の７個の第１の開口部１０６ａと、支え突条１０５ｂが抜けた後の６個の第２の開口部１０６ｂとが形成される。
【００３８】
このように開口部を形成するという点で支えピン１０５ａと支え突条１０５ｂは共通する機能を有するが、７個の支えピン１０５ａによって形成される第１の開口部１０６ａには、更に成形後において、露出された電気回路部分を切断するための開口部としての役割も有している。射出成形後、第１の開口部１０６ａに刃物やノミ等の切断工具を挿入して要切断部２９ａを切断する。同様に、切断工具で要分離部２９ｂを切断し、予め繋がっている余分な部分を切り取って回路芯材２７ａから分離させる。これにより、回路芯材２７ａの電気回路としての余分な繋がりを断って所定の電気回路を形成することができる。
【００３９】
また、図１及び図２に示すように、回路芯材２７ａのうち、外装基材２７ｂの側面から突出した多数の必要な突出部は、外部配線と接続するための端子２９ａを形成している。更に、図１０に示すように、回路芯材２７ａに金型の面が直接接触する部分は回路芯材２７ａによる電気回路の露出面となり、この露出面には、例えば、半導体レーザやコンデンサ、抵抗その他の電子部品を直接実装することができる。
【００４０】
尚、下金型１００及び上金型１１０は、熱伝導率の良好な材料で作られていて、冷却水用の流路が設けられている等の点については、一般的な金型の場合と同様である。また、下金型１００は下金型取付板１０７に固定されて射出成形機に取り付けられ、上金型１１０は上金型取付板１１２に固定されて射出成形機に取り付けられる。
【００４１】
このように成形されるスライドベース２１は、図１及び図２に示すように、一方に長い扁平の板状部材からなり、その長手方向の一端には主軸受５２が設けられ、長手方向の他端には副軸受５３が設けられている。主軸受５２には、長手方向と直交する方向に貫通する軸受穴５２ａが設けられ、副軸受５３には側方に開口する軸受溝５３ａが設けられている。そして、回路芯材２７ａの一部を露出させて略全体を絶縁性の材料からなる外装基材２７ｂで覆うことにより、スライドベース２１が構成されている。
【００４２】
次に、上述したような構成を有するスライドベース２１の成形工程を簡単に説明する。まず、銅等の導電性が良好で加工が容易な金属の薄板を用い、例えばプレス加工等によって、図５に示すように、回路芯材２７ａ及びこれと一体の外部フレーム２８を形成する。このとき、外部フレーム２８には第１から第３までの所定数の位置決め穴３０ａ〜３０ｃを形成すると共に、内枠部２８ｂ及び回路芯材２７ａには、所定の部位に高さ方向の段差を設定する段部３１ａ，３１ｂを設ける。
【００４３】
次に、図８に示すように、外部フレーム２８等を下金型１００の所定位置にセットする。これは、下金型１００の４個の第１の位置決めピン１０３ａに外枠部２８ａの４個の第１の位置決め穴３０ａを嵌合し、４個の第２の位置決めピン１０３ｂに内枠部２８ｂの４個の第２の位置決め穴３０ｂを嵌合し、更に、５個の第３の位置決めピン１０３ｃに補強部２８ｃ，２８ｄ及び突出部２８ｅの５個の第３の位置決め穴３０ｃを嵌合する。これにより、図９に示すように、回路芯材２７ａが所定位置において複数個の支持ピン１０５ａと支持突条１０５ｂとで支持された状態でセットされる。
【００４４】
次に、回路芯材２７ａがセットされた下金型１００と上金型１１０を射出成形機にセットし、外装基材２７ｂの溶融した樹脂材料をその金型の空間部分１０４に注入する。この樹脂材料が固まることにより、図６に示すように、回路芯材２７ａの所定の表面部分を除く略全体が樹脂製の外装基材２７ｂで覆われると共に、長手方向の両端に樹脂製の主軸部５２及び副軸部５３が形成される。その後、成形品を金型から取り出した後、外装基材２７ｂの第１の開口部１０６ａに切断工具を挿入して要切断部２９ａを切断すると共に、要分離部２９ｂを切除する。これにより、導電性の回路芯材２７ａの特定部分を除く略全面が絶縁性の外装基材２７ｂで覆われたスライドベース２１が構成される。
【００４５】
尚、回路芯材２７ａ及び外部フレーム２８を形成する手段としては、上述したプレス加工による打ち抜きものばかりでなく、例えば、超音波加工、レーザ加工、エッチング法等の各種の加工法によって形成されるものを用いることができる。
【００４６】
このようにして製造されるスライド部材の一具体例を示すスライドベース２１には、レーザ光による情報信号の送受信を行う光学系装置２３と、対物レンズ駆動装置の一具体例を示す二軸アクチュエータ２４が搭載されている。図４に示すように、光学系装置２３は、レーザ光源２５と光検出器２６とプリズム３３と立上げミラー３４と対物レンズ３５等を備えて構成されている。レーザ光源２５は、情報信号の記録及び／又は再生のために光ビームを放射するもので、例えば半導体レーザ（レーザダイオード）等を適用することができる。
【００４７】
光検出器２６は、レーザ光源２５から放射された後に光ディスク３６の情報記録面で反射された戻りの光ビームを受けて情報信号、フォーカス誤差信号及びトラッキング誤差信号を読み取るもので、例えば、フォトダイオードＩＣ等を適用することができる。この光検出器２６とレーザ光源２５は、図３に示すように、スライドベース２１の下面に設けた凹陥部３８の表面に露出された電気回路の露出部に実装されている。この凹陥部３８には、高さ方向に所定の段差を設定する段部が設けられており、その段部の一方の面にレーザ光源２５が配置され、その段部の他方の面に光検出器２６が配置されている。
【００４８】
レーザ光源２５の光ビームの光軸は水平方向に設定され、これと直交する方向に受光部が対向するように光検出器２６が配設されている。このレーザ光源２５及び光検出器２６は、複数のワイヤボンディングによって回路芯材２７ａと電気的に接続されている。この回路芯材２７ａは、予め所定のパターンに切断することによって所定の電気回路に形成されており、この回路芯材２７ａを介してレーザ光源２５、光検出器２６その他の実装されている電子部品及び後述する二軸アクチュエータ２４に電力が供給される。
【００４９】
レーザ光源２５の前方には、レーザ光源２５から放射された光ビームを透過させるが、戻りの光ビームを反射させて光検出器２６に導くプリズム３３が配置されている。プリズム３３は、図４に示すように、直方体の長手方向一側に傾斜された反射面３３ｃを有するブロック状の光透過性部材からなる。このプリズム３３の長手方向一側の端面には第１の回折格子３３ａが設けられ、長手方向他側の端面には第２の回折格子３３ｂが設けられている。第１の回折格子３３ａがレーザ光源２５に対向されていて、光ビームの進行方向と平行にプリズム３３の長手方向が設定されている。このプリズム３３はプリズムホルダ３７によって保持されて、スライドベース２１の上面に固定されている。プリズムホルダ３７には、光ビームを通過させるスリット３７ａが設けられている。
【００５０】
プリズム３３を挟んでレーザ光源２５と反対側には、入射された光ビームを反射してその進行方向を変更させる立上げミラー３４が配置されている。立上げミラー３４は、基準面に対して４５度傾斜された反射面３４ａを有し、この反射面３４ａを４５度傾斜させた状態でプリズム３３の第２の回折格子３３ｂに対向させてスライドベース２１の上面に固定されている。この反射面３４ａの中心は、レーザ光源２５から放射される光ビームの光軸と一致させるか、略一致するように構成する。このプリズム３３の上方に、二軸アクチュエータ２４に保持された対物レンズ３５が配置される。
【００５１】
かくして、レーザ光源２５から水平方向に向けて光ビームが放射されると、その光ビームは第１の回折格子３３ａからプリズム３３内に入射されると共に、この第１の回折格子３３ａで３ビームに分割される。３ビームに分割された光ビームは、プリズム３３を透過して反対側の第２の回折格子３３ｂから外部に出射される。このプリズム３３を出た光ビームは、立上げミラー３４の反射面３４ａで反射されて直角に９０度曲げられ、上方に進行して対物レンズ３５を透過する。このとき、各光ビームが対物レンズ３５で絞られ、その上方に設置される光ディスク３６の情報記録面に略点の状態で３箇所に照射される。
【００５２】
この情報記録面で反射された戻りの光ビームは、再び対物レンズ３５を透過して下方に進行し、反射面３４ａでそれぞれ反射されて９０度曲げられる。９０度曲げられた３つの光ビームは、水平方向に進行して第２の回折格子３３ｂからプリズム３３内に入り込む。このプリズム３３内に入った光ビームは、第２の回折格子３３ｂでそれぞれ所定角度屈折されて反射面３３ｃに向かう。その３つの光ビームは、反射面３３ｃでそれぞれ反射されて９０度折り曲げられ、プリズム３３の反射面３３ｃと反対側の面から出射されて、光検出器２６の受光部にそれぞれ入射される。この光検出器２６に入射される３つの光ビームの状態に基づいて、情報記録面に記録されている情報を表す情報信号と、この情報信号を導き出すためのフォーカス誤差信号及びトラッキング誤差信号がそれぞれ読み取られる。
【００５３】
図２において、符号４０は、プリズム３３及びプリズムホルダ３７を覆うカバー部材である。このカバー部材４０によってレーザ光源２５及び光検出器２６がシールされ、防塵機能が確保されている。また、図２及び図３において、符号４１は可変抵抗器、４２はチップコンデンサであり、スライドベース２１の下面に設けた電気回路の露出部４３にそれぞれ実装されている。更に、符号４４はＦＦケーブル（フレキシブル・フラット・ケーブル）であり、このＦＦケーブル４４を介してレーザ光源２５その他の電子部品及び二軸アクチュエータ２４のフォーカシングコイル及びトラッキングコイル等が電気的に接続される。
【００５４】
また、図１及び図２に示すように、二軸アクチュエータ２４は、スライドベース２１に固定される調整部材５４と、この調整部材５４に固定される支持部材５５と、この支持部材５５に一端側が支持された４本のサスペンションワイヤ５６と、この４本のサスペンションワイヤ５６によって弾性支持された二軸可動部５７と、この二軸可動部５４に駆動力を付与する２個のマグネット５８等から構成されている。調整部材５４は、スライドベース２１に対して高さ方向へ移動可能とされており、この調整部材５４がスライドベース２１の上面に突出する量を調整することによって二軸アクチュエータ２４の高さ調整を行うことができる。この調整部材５４は、接着剤その他の固着手段によってスライドベース２１に固定されている。
【００５５】
支持部材５５は絶縁材料で形成されていると共に、固定ネジ等の固着手段によって調整部材５４に固定されている。この支持部材５５は、横方向に所定の間隔をあけて設けた一対の固定部５５ａ，５５ａを有しており、各固定部５５ａには２本ずつサスペンションワイヤ５５が固定されている。４本のサスペンションワイヤ５５は、適当な弾性を有する導電性の材料によって形成され、上下及び左右方向にそれぞれ対称をなすよう平行に配置されている。この４本のサスペンションワイヤ５５の先端に固定された二軸可動部５７は、絶縁性材料によって形成されたレンズホルダ６０と、このレンズホルダ６０に取り付けられた２組のムービングコイル等を有している。
【００５６】
レンズホルダ６０は、サスペンションワイヤ５５の固定部６０ａが両側に設けられた絶縁性の枠体からなり、このレンズホルダ６０の上部に対物レンズ３５が固定されている。レンズホルダ６０の一対の固定部６０ａ，６０ａと交差する側の、一方の面に第１のムービングコイル６１が取り付けられ、他方の面に第２のムービングコイル６２が取り付けられている。２組のムービングコイル６１，６２は、それぞれ一対のフォーカス用コイルと一対のトラッキング用コイルとの組み合わせからなり、各コイルは、例えば極めて細い銅線を適宜数巻回することによって形成されている。
【００５７】
このような２組のムービングコイル６１，６２の接続部に、４本のサスペンションワイヤ５６の先端側が所定の結線パターンによって接続されている。そして、４本のサスペンションワイヤ５６の固定側にはＦＦケーブル４４のレンズ側分岐部４４ａが接続されている。このレンズ側分岐部４４ａの配線パターンによって２組のムービングコイル６１，６２がスライドベース２１の端子２９ｃに接続され、光学系装置２３と同様に通電可能とされている。
【００５８】
これらムービングコイル６１，６２の外側には、同一のマグネット５８がそれぞれ１個ずつ配置されている。マグネット５８は、１極着磁された直方体からなり、例えば、第１のムービングコイル６１の表側にＮ極（又はＳ極）を対向させ、第２のムービングコイル６２の表側には反対側のＳ極（又はＮ極）を対向させて配置する。しかしながら、コイルの仕様により、マグネット５８に２極着磁したものを使用し、ムービングコイル６１，６２に同極を対向させて配置してもよいことは勿論である。
【００５９】
この二軸アクチュエータ２４によれば、４本のサスペンションワイヤ５６間に流される電流に応じて、２組のムービングコイル６１，６２が固定されたレンズホルダ６０に、上下又は左右方向の推力を自在に発生させることができる。その結果、これら推力の発生により、２組のムービングコイル６１，６２とレンズホルダ６０と対物レンズ３５を有する二軸可動部５７が、互いに直交する２方向（フォーカシング方向及びトラッキング方向）に移動され、これにより対物レンズ３５を透過する光ビームによるファーカシング及び／又はトラッキングの駆動制御が実行される。
【００６０】
このような構成を有する光ピックアップ装置２０は、例えば、図１２に示すような構成を有する光情報記録再生装置７０に使用して情報信号の記録及び／又は再生操作に供することができる。この光情報記録再生装置７０は、光情報記録及び／又は再生装置の一具体例を示すもので、ベースとなるシャーシ７１と、このシャーシ７１に固定されるディスク回転装置７２と、シャーシ７１に対して移動可能に支持される前記光ピックアップ装置２０と、この光ピックアップ装置２０をディスク回転装置７２に対して進退移動させるピックアップ移動装置７３等によって構成されている。
【００６１】
シャーシ７１は、略四角形をなす開口部７４が設けられた四角形の枠体からなり、その一辺の略中央部にディスク回転装置７２が搭載されている。開口部７４内には光ピックアップ装置２０が配置されていて、この光ピックアップ装置２０をディスク回転装置７２に対して接近又は離反させるように進退動作させるピックアップ移動装置７３がシャーシ７１に搭載されている。
【００６２】
ディスク回転装置７２は、光学ディスクの一具体例を示す光ディスク３６をチャッキングして所定速度( 例えば、線速度一定）で回転駆動するもので、スピンドルモータ７５とターンテーブル７６とから構成されている。スピンドルモータ７５は、回転軸を上下方向へ向けた状態で固定ネジ等の固着手段によってシャーシ７１の上面に固定されている。このスピンドルモータ７５の回転軸にターンテーブル７６が一体的に固定されている。ターンテーブル７６は、光ディスク３６のセンタ穴に着脱自在に嵌合される嵌合部７６ａと、センタ穴の周縁部が載置される載置部７６ｂとを有している。更に、嵌合部７６ａにはセンタ穴の周縁部に着脱可能に係合されて光ディスク３６を保持することができる複数の係合爪が設けられている。
【００６３】
尚、光学ディスクとしては、例えば、オーディオ情報としての音楽信号、ビデオ情報としての映像信号及び音楽信号等の情報信号が予め記録された再生専用型の光ディスク、音楽信号や映像信号等の情報信号が１度だけ記録可能な光ディスク（追記型）、或いは何度でも繰り返して記録可能な光ディスク（書換え型）等のように各種の光ディスクを適用することができる。更に、本発明の光学ディスクとしては、これらの光ディスクに限定されるものではく、例えば、薄い円盤の表面に磁性薄膜層を形成し、この磁性薄膜層に光ヘッドと磁気ヘッドを用いて情報を書き込み又は読み出すようにした光磁気ディスクその他のディスク状をなす記録媒体を用いることができる。
【００６４】
ピックアップ移動装置７３は、一対の互いに平行に配置された送りネジ軸７７及びガイド軸７８と、送りネジ軸７７を回転駆動する送りモータ８０と、この送りモータ８０が取り付けられた取付ブラケット８１と、送りネジ軸７７の一端を回転自在に支持する軸受８２と、ガイド軸７８の両端を支持する一対の軸受８３，８３等によって構成されている。送りネジ軸７７とガイド軸７８は、光ピックアップ装置２０とディスク回転装置７２を両側から挟むように開口部７４の両側部に互いに平行に配置されている。
【００６５】
送りネジ軸７７は送りモータ８０の回転軸に連結され、一体的に回転自在とされている。この送りネジ軸７７の一端に連結された送りモータ８０が、取付ブラケット８１を介してシャーシ７１に固定されている。そして、送りネジ軸７７の他端を支持する軸受８２がシャーシ７１に固定されている。また、ガイド軸７８の両端を支持する一対の軸受８３，８３も同様に、固定ネジ等の固着手段によってシャーシ７１に固定されている。このようにシャーシ７１に支持されたガイド軸７８が、光ピックアップ装置２０のスライドベース２１に設けた副軸受５３の軸受溝５３ａに摺動自在に貫通されている。そして、送りネジ軸７７が、スライドベース２１に設けた主軸受５２の軸受穴５２ａに摺動自在に貫通されている。
【００６６】
送りネジ軸７７には、スライドベース２１に固定された動力伝達部材８５が係合されている。動力伝達部材８５は、送りネジ軸７７の回転力を直線運動に変換してスライドベース２１に伝達するものである。この動力伝達部材８５は、送りネジ軸７７のネジ溝の幅及びピッチに対応した突起（一般に、２〜４個が設けられる。）と、この突起を撓み変形可能に保持する板状のバネ体とから構成されている。そして、突起を送りネジ軸７７のネジ溝に係合させた状態でバネ体が、固定ネジ等の固着手段によってスライドベース２１に固定されている。
【００６７】
次に、このような構成を有する光情報記録再生装置７０を駆動制御するための回路構成について説明する。図１３は、光情報記録再生装置７０を駆動制御する回路構成の一例を示すもので、情報信号の記録（書込み）と再生（読出し）の両方を可能とした光ディスク記録再生装置に適用したブロック説明図である。
【００６８】
図１３において、符号９０は、スピンドルモータ７５及び送りモータ８０の回転を駆動制御するシステム制御装置である。このシステム制御装置９０は、光ピックアップ装置２０をサーボ制御するサーボ回路９１との間で信号のやり取りが可能なように接続されている。システム制御装置９０には、電源スイッチや各種の操作ボタン等が設けられた操作パネル９２が接続されている。また、光ピックアップ装置２０には光ビームの駆動検出回路９３が接続されており、この駆動検出回路９３の出力がシステム制御装置９０及びサーボ回路９１に供給される。更に、駆動検出回路９３には、入力端子９４及び出力端子９５が接続された記録再生回路９６が接続されている。
【００６９】
このような構成を備えた光ディスク記録再生装置によれば、例えば、次のようにして、光ディスク３６に対する情報信号の記録及び／又は再生が行われる。まず、ユーザーが操作パネル９２を操作することにより、その操作情報がシステム制御装置９０に入力され、その操作情報に基づいてシステム制御装置９０から制御信号がスピンドルモータ７５、送りモータ８０及びサーボ回路９１に出力される。
【００７０】
システム制御装置９０からの制御信号がスピンドルモータ７５に供給されると、このスピンドルモータ７５が、例えば、線速度一定となるように回転駆動される。また、システム制御装置９０からの制御信号によって送りモータ８０が駆動され、この送りモータ８０の駆動により、光ビームが光ディスク３６の情報記録面における所望の位置に照射されるように光ピックアップ装置２０の移動が行われる。サーボ回路１１１に供給される。
【００７１】
そして、例えば、入力端子９４からの情報信号が記録再生回路９６を通じて光ビームの駆動検出回路９３に供給される。この駆動検出回路９３からの信号に従って光ピックアップ装置２０での光ビームの出力が制御されることにより、光ディスク３６の情報記録面に対して入力端子９４からの情報信号の記録が行われる。また、光ディスク３６の情報記録面に予め記録された情報信号が駆動検出回路９３によって検出され、この検出された情報信号が記録再生回路９６を通じて出力端子９５に取り出される。
【００７２】
これと共に、駆動検出回路９３では光ビームのトラッキング用誤差信号とフォーカシング用誤差信号が検出され、これらの誤差信号がサーボ回路９１に供給される。これにより、サーボ回路９１から光ピックアップ装置２０に制御信号が供給され、上述した二軸アクチュエータ２４によるトラッキング及び／又はフォーカシングの制御が行われる。また、操作パネル９２からの操作信号がシステム制御装置９０に供給されることにより、所望の記録位置や再生位置への光ピックアップ装置２０の移動、その他の制御が行われる。そして、二軸アクチュエータ２４を含む光ピックアップ装置２０からの光ビームが光ディスク３６の情報記録面に照射されることにより、情報信号の記録及び／又は再生が行われる。
【００７３】
以上説明したが、本発明は上述した実施例に限定されるものではなく、前記実施例においては情報記録媒体として光ディスクを用いた例について説明したが、例えば、光ヘッドと磁気ヘッドを同時に使用して情報の記録及び／又は再生を行う光磁気ディスクその他のディスク状記録媒体に適用することができる。更に、前記実施例では、光情報記録及び／又は再生装置として記録及び再生の双方が可能なディスク記録再生装置に適用した例について説明したが、記録又は再生の一方のみが可能なディスク記録装置又はディスク再生装置に適用できることは勿論である。
【００７４】
また、上前記実施例では、対物レンズ駆動装置として二軸アクチュエータを適用し、その一具体例としてワイヤ支持方式を用いた例について説明したが、これに限定されるものではなく、例えば、可動部を板バネで支持するようにした板バネ方式、可動部をヒンジ機構によって支持するようにしたヒンジ方式、軸を中心に可動部を回転させて対物レンズを横に動かすようにした軸摺動方式等のように各種の二軸アクチュエータを適用できることは勿論のこと、その他の形式の対物レンズ駆動装置を用いることができる。このように、本発明は、その趣旨を逸脱しない範囲で種々変更できるものである。
【００７５】
【発明の効果】
以上説明したように、本出願の請求項１記載の光ピックアップ装置によれば、対物レンズ駆動装置とスライドベースを備えた光ピックアップ装置において、スライドベースを回路芯材と外部フレームと外装基材で形成し、回路芯材及び外部フレームには金型に対する位置決め穴を設ける構成としたため、回路芯材及び外部フレームに設けた２以上の位置決め穴に金型に設けた２以上の位置決めピンを嵌合することによって金型内に回路芯材を位置決めし、その位置決め状態で外装基材をインサート成形して回路芯材と一体化させることができる。これにより、合成樹脂の流動等に伴う回路芯材の位置ヅレや撓みを防止し、スライドベース内の電気回路の配線を安定して所定位置に固定することができ、スライドベース内における回路芯材に対する高精度な寸法要求に対応することができる。しかも、電気配線の機能を有する回路芯材が外装基材に一体成形されるため、ＦＦケーブルやコネクタ等の配線部品の使用数や使用量を少なくすることができ、取付作業工数の低減とコスト削減を図ることができるという効果が得られる。
【００７６】
本出願の請求項２記載の光ピックアップ装置によれば、外装基材に開口部を設け、射出成形後に回路芯材の連通されるべきでない連通部や分離が必要とされる部分を切断する構成としたため、射出成形時における回路芯材の部分的な撓みや変形を防止し、スライドベース内の細かな配線形状を所定形状に維持することができ、回路芯材の射出成形時における歩留りを高め、作業性を向上させることができるという効果が得られる。
【００７７】
本出願の請求項３記載の光ピックアップ装置によれば、外装基材の開口部を金型の支持ピンで形成する構成としたため、回路芯材の要切断部や要分離部を切断するための開口部を容易に形成することができ、開口部を形成するために金型の構造が複雑化されるのを防止することができるという効果が得られる。
【００７８】
本出願の請求項４記載の光ピックアップ装置によれば、回路芯材に高さ方向の段差を設定する段部を設ける構成としたため、その段部を利用して電子部品を実装することにより異なる高さ位置に所望の電子部品を立体的に配置することができ、高さの異なる場所に電気回路を配置することができるという効果が得られる。
【００７９】
本出願の請求項５記載の光情報記録及び／又は再生装置によれば、ディスク回転装置と光ピックアップ装置を備えた光情報記録及び／又は再生装置において、光ピックアップ装置が対物レンズ駆動装置とスライドベースを有し、そのスライドベースを回路芯材と外部フレームと外装基材で形成し、回路芯材及び外部フレームに位置決め穴を設ける構成とした。そのため、回路芯材及び外部フレームに設けた２以上の位置決め穴に金型に設けた２以上の位置決めピンを嵌合することによって金型内に回路芯材を位置決めし、その位置決め状態で外装基材をインサート成形して回路芯材と一体化させ、合成樹脂の流動等に伴う回路芯材の位置ヅレや撓みを防止して、スライドベース内の電気回路の配線を安定して所定位置に固定できると共に、スライドベース内における回路芯材に対する高精度な寸法要求にも対応できる光ピックアップ装置を用いた小型で軽量な光情報記録及び／又は再生装置を提供することができる。しかも、光ピックアップ装置が小型、軽量であるため、光ピックアップ装置を高精度に駆動制御することができると共に、ＦＦケーブルやコネクタ等の配線部品の使用数や使用量を少なくすることができ、組立作業工数の低減とコスト削減を図ることができるという効果が得られる。
【図面の簡単な説明】
【図１】本発明の光ピックアップ装置の一実施例を示す斜視図である。
【図２】本発明の光ピックアップ装置の一実施例を分解して示す斜視図である。
【図３】本発明の光ピックアップ装置の一実施例の裏面の要部を示す斜視図である。
【図４】本発明の光ピックアップ装置の一実施例の光学系を示す説明図である。
【図５】本発明の光ピックアップ装置の一実施例に係る回路芯材と外部フレームを示す平面図である。
【図６】図５に示す外部フレームが一体成形された回路芯材に外装基材を射出成形した状態を示す平面図である。
【図７】図５に示す外部フレームが一体成形された回路芯材に対応した構成を有する金型（下型）の一例を示す斜視図である。
【図８】図７に示す金型に、外部フレームが一体成形された回路芯材を装着した状態を示す斜視図である。
【図９】図８の要部を拡大して示す斜視図である。
【図１０】本発明の光ピックアップ装置の一実施例に係るスライドベースの成形に用いられる金型の射出成形時の要部を断面して示す説明図である。
【図１１】本発明の光ピックアップ装置の一実施例に係るスライドベースの成形に用いられる金型の射出成形時の更に他の部分を断面して示す説明図である。
【図１２】図１の光ピックアップ装置を用いた本発明の光情報記録及び／又は再生装置の一実施例の概略構成を示す外観斜視図である。
【図１３】本発明の光情報記録及び／又は再生装置の一実施例の概略構成を示すブロック説明図である。
【図１４】従来の光ピックアップ装置の概略構成を示す分解斜視図である。
【符号の説明】
２０  光ピックアップ装置、  ２１  スライドベース、  ２３  光学系装置、２４  二軸アクチュエータ（対物レンズ駆動装置）、  ２５  レーザ光源、  ２６  光検出器、  ２７ａ  回路芯材、  ２７ｂ  外装基材、  ２８  外部フレーム、  ２９ａ  要切断部、  ２９ｂ  要分離部、  ２９ｃ  端子、  ３０ａ，３０ｂ，３０ｃ  位置決め穴、  ３１ａ，３１ｂ  段部、  ３５  対物レンズ、３６  光学ディスク（ディスク状記録媒体）、  ７０  光情報記録再生装置（光情報記録及び／又は再生装置）、  ７１  シャーシ、  ７２  ディスク回転装置、  ７３  ピックアップ移動装置、  １００  金型（下型）、  １０３ａ，１０３ｂ，１０３ｃ  位置決めピン、  １０５ａ  支えピン、  １０５ｂ，１１１支え突条、  １０６ａ，１０６ｂ  開口部
【図１】
2004213710.tif 000003
【図２】
2004213710.tif 000004
【図３】
2004213710.tif 000005
【図４】
2004213710.tif 000006
【図５】
2004213710.tif 000007
【図６】
2004213710.tif 000008
【図７】
2004213710.tif 000009
【図８】
2004213710.tif 000010
【図９】
2004213710.tif 000011
【図１０】
2004213710.tif 000012
【図１１】
2004213710.tif 000013
【図１２】
2004213710.tif 000014
【図１３】
2004213710.tif 000015
【図１４】
2004213710.tif 000016
【手続補正書】
【提出日】平成15年9月5日(2003.9.5)
【手続補正１】
【補正対象書類名】明細書
【補正対象項目名】特許請求の範囲
【補正方法】変更
【補正の内容】
【特許請求の範囲】
【請求項１】
ディスク状記録媒体の情報記録面に対向される対物レンズを有する対物レンズ駆動装置と、
前記情報記録面に光ビームを照射して情報信号の読み出し及び／又は書き込みを行う光学系装置が搭載され、前記情報記録面と略平行に移動されるスライドベースと、
を備えた光ピックアップ装置において、
前記スライドベースは、前記対物レンズ駆動装置に電気を供給する電気回路を形成する導電体からなる回路芯材と、前記回路芯材の一部を露出させて表面を被覆する絶縁体からなる外装基材からなり、
前記回路芯材は、外側に連続されると共に射出成形により前記外装基材で回路芯材を被覆した後に当該回路芯材から切除される外部フレームを有し、
前記回路芯材及び前記外部フレームには、前記被覆時に前記射出成形用の金型に位置決めするための２以上の位置決め穴を設け、前記２以上の位置決め穴に前記金型に設けた２以上の位置決めピンを嵌合させて回路芯材及び外部フレームを金型に位置決めした状態で射出成形により外装基材を回路芯材に一体成形したことを特徴とする光ピックアップ装置。
【請求項２】
前記回路芯材は、前記射出成形時には電気回路として不要な連通部又は分離が必要とされる連通部を有し、前記外装基材には、前記連通部を露出させる開口部を設け、射出成形後に前記開口部を用いて前記連通路を切断したことを特徴とする請求項１記載の光ピックアップ装置。
【請求項３】
前記開口部は、前記連通部を支持するため前記金型に設けられた支持ピンによって形成したことを特徴とする請求項２記載の光ピックアップ装置。
【請求項４】
前記スライドベースの前記外装基材から露出された前記回路芯材の露出部にコンデンサ、抵抗、レーザ光源等の電子部品を実装可能としたことを特徴とする請求項１記載の光ピックアップ装置。
【請求項５】
前記回路芯材に高さ方向の段差を設定する段部を設け、異なる高さ位置において前記電子部品を実装可能としたことを特徴とする請求項１記載の光ピックアップ装置。
【請求項６】
ディスク状記録媒体の情報記録面に対向される対物レンズを有する対物レンズ駆動装置と、
前記情報記録面に光ビームを照射して情報信号の読み出し及び／又は書き込みを行う光学系装置が搭載され、前記情報記録面と略平行に移動されるスライドベースと、
を備えた光ピックアップ装置において、
前記スライドベースは、前記対物レンズ駆動装置に電気を供給する電気回路を形成する導電体からなる回路芯材と、前記回路芯材の一部を露出させて表面を被覆する絶縁体からなる外装基材からなり、
前記回路芯材は、前記射出成形時には電気回路として不要な連通部又は分離が必要とされる連通部を有し、前記外装基材には、前記連通部を露出させる開口部を設け、射出成形後に前記開口部を用いて前記連通部を切断することを特徴とする光ピックアップ装置。
【請求項７】
前記開口部は、前記連通部を支持するため前記金型に設けられた支持ピンによって形成したことを特徴とする請求項６記載の光ピックアップ装置。
【請求項８】
前記スライドベースの前記外装基材から露出された前記回路芯材の露出部にコンデンサ、抵抗、レーザ光源等の電子部品を実装可能としたことを特徴とする請求項６記載の光ピックアップ装置。
【請求項９】
前記回路芯材に高さ方向の段差を設定する段部を設け、異なる高さ位置において前記電子部品を実装可能としたことを特徴とする請求項６記載の光ピックアップ装置。
【請求項１０】
ディスク状記録媒体を回転駆動するディスク回転装置と、
前記ディスク状記録媒体の情報記録面に対して情報信号の記録及び／又は再生を行う光ピックアップ装置と、
を備えた光情報記録及び／又は再生装置において、
前記光ピックアップ装置は、前記情報記録面に対向される対物レンズを有する対物レンズ駆動装置と、前記情報記録面に光ビームを照射して情報信号の読み出し及び／又は書き込みを行う光学系装置が搭載されると共に当該情報記録面と略平行に移動されるスライドベースとを有し、
前記スライドベースは、前記対物レンズ駆動装置に電気を供給する電気回路を形成する導電体からなる回路芯材と、前記回路芯材の一部を露出させて表面を被覆する絶縁体からなる外装基材からなり、
前記回路芯材は、外側に連続されると共に射出成形により前記外装基材で回路芯材を被覆した後に当該回路芯材から切除される外部フレームを有し、
前記回路芯材及び前記外部フレームには、前記被覆時に前記射出成形用の金型に位置決めするための２以上の位置決め穴を設け、前記２以上の位置決め穴に前記金型に設けた位置決めピンを嵌合させて回路芯材及び外部フレームを金型に位置決めした状態で射出成形により外装基材を回路芯材に一体成形したことを特徴とする光情報記録及び／又は再生装置。
【請求項１１】
ディスク状記録媒体を回転駆動するディスク回転装置と、
前記ディスク状記録媒体の情報記録面に対して情報信号の記録及び／又は再生を行う光ピックアップ装置と、
を備えた光情報記録及び／又は再生装置において、
前記光ピックアップ装置は、前記情報記録面に対向される対物レンズを有する対物レンズ駆動装置と、前記情報記録面に光ビームを照射して情報信号の読み出し及び／又は書き込みを行う光学系装置が搭載されると共に当該情報記録面と略平行に移動されるスライドベースとを有し、
前記スライドベースは、前記対物レンズ駆動装置に電気を供給する電気回路を形成する導電体からなる回路芯材と、前記回路芯材の一部を露出させて表面を被覆する絶縁体からなる外装基材からなり、
前記回路芯材は、前記射出成形時には電気回路として不要な連通部又は分離が必要とされる連通部を有し、
前記外装基材には、前記連通部を露出させる開口部を設け、射出成形後に前記開口部を用いて前記連通部を切断することを特徴とする光情報記録及び／又は再生装置。
【手続補正２】
【補正対象書類名】明細書
【補正対象項目名】００１３
【補正方法】変更
【補正の内容】
【００１３】
【課題を解決するための手段】
前記した課題等を解決し、前記目的を達成するために、本出願の請求項１記載の光ピックアップ装置は、ディスク状記録媒体の情報記録面に対向される対物レンズを有する対物レンズ駆動装置と、情報記録面に光ビームを照射して情報信号の読み出し及び／又は書き込みを行う光学系装置が搭載され、情報記録面と略平行に移動されるスライドベースと、を備えた光ピックアップ装置において、スライドベースは、対物レンズ駆動装置に電気を供給する電気回路を形成する導電体からなる回路芯材と、回路芯材の一部を露出させて表面を被覆する絶縁体からなる外装基材からなり、回路芯材は、外側に連続されると共に射出成形により外装基材で回路芯材を被覆した後に回路芯材から切除される外部フレームを有し、回路芯材及び外部フレームには、被覆時に射出成形用の金型に位置決めするための２以上の位置決め穴を設け、２以上の位置決め穴に金型に設けた２以上の位置決めピンを嵌合させて回路芯材及び外部フレームを金型に位置決めした状態で射出成形により外装基材を回路芯材に一体成形したことを特徴としている。


【手続補正３】
【補正対象書類名】明細書
【補正対象項目名】００１５
【補正方法】変更
【補正の内容】
【００１５】
本出願の請求項３記載の光ピックアップ装置は、開口部は、連通部を支持するため金型に設けられた支持ピンによって形成したことを特徴としている。
本出願の請求項４記載の光ピックアップ装置は、スライドベースの外装基材から露出された回路芯材の露出部にコンデンサ、抵抗、レーザ光源等の電子部品を実装可能としたことを特徴としている。
本出願の請求項５記載の光ピックアップ装置は、回路芯材に高さ方向の段差を設定する段部を設け、異なる高さ位置において電子部品を実装可能としたことを特徴としている。
【手続補正４】
【補正対象書類名】明細書
【補正対象項目名】００１６
【補正方法】変更
【補正の内容】
【００１６】
本出願の請求項６記載の光ピックアップ装置は、ディスク状記録媒体の情報記録面に対向される対物レンズを有する対物レンズ駆動装置と、情報記録面に光ビームを照射して情報信号の読み出し及び／又は書き込みを行う光学系装置が搭載され、情報記録面と略平行に移動されるスライドベースと、を備えた光ピックアップ装置において、スライドベースは、対物レンズ駆動装置に電気を供給する電気回路を形成する導電体からなる回路芯材と、回路芯材の一部を露出させて表面を被覆する絶縁体からなる外装基材からなり、回路芯材は、射出成形時には電気回路として不要な連通部又は分離が必要とされる連通部を有し、外装基材には、連通部を露出させる開口部を設け、射出成形後に開口部を用いて連通部を切断することを特徴としている。
本出願の請求項７記載の光ピックアップ装置は、開口部は、連通部を支持するため金型に設けられた支持ピンによって形成したことを特徴としている。
本出願の請求項８記載の光ピックアップ装置は、スライドベースの外装基材から露出された回路芯材の露出部にコンデンサ、抵抗、レーザ光源等の電子部品を実装可能としたことを特徴としている。
本出願の請求項９記載の光ピックアップ装置は、回路芯材に高さ方向の段差を設定する段部を設け、異なる高さ位置において電子部品を実装可能としたことを特徴としている。
【手続補正５】
【補正対象書類名】明細書
【補正対象項目名】００１７
【補正方法】変更
【補正の内容】
【００１７】
本出願の請求項１０記載の光情報記録及び／又は再生装置は、ディスク状記録媒体を回転駆動するディスク回転装置と、ディスク状記録媒体の情報記録面に対して情報信号の記録及び／又は再生を行う光ピックアップ装置と、を備えた光情報記録及び／又は再生装置において、光ピックアップ装置は、情報記録面に対向される対物レンズを有する対物レンズ駆動装置と、情報記録面に光ビームを照射して情報信号の読み出し及び／又は書き込みを行う光学系装置が搭載されると共に情報記録面と略平行に移動されるスライドベースとを有し、スライドベースは、対物レンズ駆動装置に電気を供給する電気回路を形成する導電体からなる回路芯材と、回路芯材の一部を露出させて表面を被覆する絶縁体からなる外装基材からなり、回路芯材は、外側に連続されると共に射出成形により外装基材で回路芯材を被覆した後に回路芯材から切除される外部フレームを有し、回路芯材及び外部フレームには、被覆時に射出成形用の金型に位置決めするための２以上の位置決め穴を設け、２以上の位置決め穴に金型に設けた位置決めピンを嵌合させて回路芯材及び外部フレームを金型に位置決めした状態で射出成形により外装基材を回路芯材に一体成形したことを特徴としている。
また、本出願の請求項１１記載の光情報記録及び／又は再生装置は、ディスク状記録媒体を回転駆動するディスク回転装置と、ディスク状記録媒体の情報記録面に対して情報信号の記録及び／又は再生を行う光ピックアップ装置と、を備えた光情報記録及び／又は再生装置において、光ピックアップ装置は、情報記録面に対向される対物レンズを有する対物レンズ駆動装置と、情報記録面に光ビームを照射して情報信号の読み出し及び／又は書き込みを行う光学系装置が搭載されると共に情報記録面と略平行に移動されるスライドベースとを有し、スライドベースは、対物レンズ駆動装置に電気を供給する電気回路を形成する導電体からなる回路芯材と、回路芯材の一部を露出させて表面を被覆する絶縁体からなる外装基材からなり、回路芯材は、射出成形時には電気回路として不要な連通部又は分離が必要とされる連通部を有し、外装基材には、連通部を露出させる開口部を設け、射出成形後に開口部を用いて連通部を切断することを特徴としている。
【手続補正６】
【補正対象書類名】明細書
【補正対象項目名】００１８
【補正方法】変更
【補正の内容】
【００１８】
前記構成としたことにより、本出願の請求項１記載の光ピックアップ装置では、回路芯材及び外部フレームに設けた２以上の位置決め穴に金型に設けた２以上の位置決めピンを嵌合することによって金型内に回路芯材を位置決めし、その位置決め状態で外装基材をインサート成形して回路芯材と一体化させることができる。これにより、合成樹脂の流動等に伴う回路芯材の位置ズレや撓みを防止し、スライドベース内の電気回路の配線を安定して所定位置に固定することができる。更に、電気配線の機能を有する回路芯材が外装基材に一体成形されるため、ＦＦケーブルやコネクタ等の配線部品の使用数や使用量を少なくすることができ、取付作業工数の削減とコスト低減を図ることができる。


【手続補正７】
【補正対象書類名】明細書
【補正対象項目名】００２０
【補正方法】変更
【補正の内容】
【００２０】
本出願の請求項３記載の光ピックアップ装置では、回路芯材の連通部を支持するため金型に設けた支持ピンで外装基材の開口部を形成することにより、金型の構造が複雑化されるのを防止することができる。
本出願の請求項４記載の光ピックアップ装置では、回路芯材の露出部にコンデンサ、抵抗、レーザ光源等の電子部品を実装することができる。
本出願の請求項５記載の光ピックアップ装置では、回路芯材には高さ方向の段差を設定する段部が設けられているため、この段部を利用して電子部品を実装することにより、異なる高さ位置に所望の電子部品を立体的に配置することができる。
【手続補正８】
【補正対象書類名】明細書
【補正対象項目名】００２１
【補正方法】変更
【補正の内容】
【００２１】
本出願の請求項６記載の光ピックアップ装置では、回路芯材に外装基材を被覆して形成したスライドベースの開口部を用いて連通部を切断することにより、回路芯材の電気回路としての余分な繋がりを断って所定の電気回路を形成することができる。
本出願の請求項７記載の光ピックアップ装置では、回路芯材の連通部を支持するため金型に設けた支持ピンで外装基材の開口部を形成することにより、金型の構造が複雑化されるのを防止することができる。
本出願の請求項８記載の光ピックアップ装置では、回路芯材の露出部にコンデンサ、抵抗、レーザ光源等の電子部品を実装することができる。
本出願の請求項９記載の光ピックアップ装置では、回路芯材には高さ方向の段差を設定する段部が設けられているため、この段部を利用して電子部品を実装することにより、異なる高さ位置に所望の電子部品を立体的に配置することができる。
【手続補正９】
【補正対象書類名】明細書
【補正対象項目名】００２２
【補正方法】変更
【補正の内容】
【００２２】
本出願の請求項１０記載の光情報記録及び／又は再生装置では、光ピックアップ装置のスライドベースが回路芯材と外装基材からなり、回路芯材は外装基材が被覆された後に切除される外部フレームを有し、その外部フレームに設けた２以上の位置決め穴に金型に設けた２以上の位置決めピンを嵌合することによって金型内に回路芯材を位置決めし、その位置決め状態で外装基材をインサート成形して回路芯材と一体化させることができる。これにより、内部に電気配線の機能を持たせることで小型化、低コスト化されたスライドベースを用いて光情報記録及び／又は再生装置を構成することができ、装置全体の小型化、軽量化を図ることができる。
また、本出願の請求項１１記載の光情報記録及び／又は再生装置では、回路芯材に外装基材を被覆して形成したスライドベースの開口部を用いて連通部を切断することにより、回路芯材の電気回路としての余分な繋がりを断って所定の電気回路を形成することができる。
【手続補正１０】
【補正対象書類名】明細書
【補正対象項目名】００３０
【補正方法】変更
【補正の内容】
【００３０】
図６に示すように、内枠部２８ｂ及び突出部２８ｅ並びに回路芯材２７ａには適当な大きさの高さ方向の段差を設定する複数の段部３１ａ，３１ｂが設けられている。外側の高さ変化の少ない第１の段部３１ａは、金型に対する回路芯材２７ａの基準面を設定するためのものである。また、内側の高さ変化の大きな第２の段部３１ｂは、回路芯材２７ａの所定の部位を所定の高さ位置に設定するためのものである。この第２の段部３１ｂは、基準面から上方に立ち上げられた上向き段部と、基準面から下方に立ち下げられた下向き段部とを有している。


【手続補正１１】
【補正対象書類名】明細書
【補正対象項目名】００３６
【補正方法】変更
【補正の内容】
【００３６】
図１０及び図１１において、符号１１０は、下金型１００と組み合わされた上金型である。上下金型１１０，１００の合わせ面を突き合わせることによってその内部に、回路芯材２７ａに装着される外装基材２７ｂのための空間部分が形成されている。図１０は、空間部分に収容された回路芯材２７ａを、下金型１００に設けた複数の支えピン１０５ａと上金型１１０の内面で挟持した状態を示すものである。また、図１１は、下金型１００の支え突条１０５ｂと、これに対応するよう上金型１１０に設けた支え突条１１２とで回路芯材２７ａを挟持した状態を示すものである。この空間部分の回路芯材２７ａを除く部分に、外装基材２７ｂの溶融された材料が適当な圧力によって注入される。


【手続補正１２】
【補正対象書類名】明細書
【補正対象項目名】００３７
【補正方法】変更
【補正の内容】
【００３７】
このように回路芯材２７ａを支えピン１０５ａで支持し、或いは一対の支え突条１０５ｂ，１１２で両側から挟んで支持することにより、外装基材２７ｂの材料が注入される際の圧力によって回路芯材２７ａに撓みや変形が生じるのを確実に防止することができる。また、射出成形後の外装基材２７ｂには、支えピン１０５ａが抜けた後の７個の第１の開口部１０６ａと、支え突条１０５ｂが抜けた後の６個の第２の開口部１０６ｂとが形成される。


【手続補正１３】
【補正対象書類名】明細書
【補正対象項目名】００３９
【補正方法】変更
【補正の内容】
【００３９】
また、図１及び図２に示すように、回路芯材２７ａのうち、外装基材２７ｂの側面から突出した多数の必要な突出部は、外部配線と接続するための端子２９ｃを形成している。更に、図１０に示すように、回路芯材２７ａに金型の面が直接接触する部分は回路芯材２７ａによる電気回路の露出面となり、この露出面には、例えば、半導体レーザやコンデンサ、抵抗その他の電子部品を直接実装することができる。


【手続補正１４】
【補正対象書類名】明細書
【補正対象項目名】００４０
【補正方法】変更
【補正の内容】
【００４０】
尚、下金型１００及び上金型１１０は、熱伝導率の良好な材料で作られていて、冷却水用の流路が設けられている等の点については、一般的な金型の場合と同様である。また、下金型１００は下金型取付板１０７に固定されて射出成形機に取り付けられ、上金型１１０は上金型取付板１１１に固定されて射出成形機に取り付けられる。


【手続補正１５】
【補正対象書類名】明細書
【補正対象項目名】００７０
【補正方法】変更
【補正の内容】
【００７０】
システム制御装置９０からの制御信号がスピンドルモータ７５に供給されると、このスピンドルモータ７５が、例えば、線速度一定となるように回転駆動される。また、システム制御装置９０からの制御信号によって送りモータ０が駆動され、この送りモータ８０の駆動により、光ビームが光ディスク３６の情報記録面における所望の位置に照射されるように光ピックアップ装置２０の移動が行われる。


【手続補正１６】
【補正対象書類名】明細書
【補正対象項目名】００７５
【補正方法】変更
【補正の内容】
【００７５】
【発明の効果】
以上説明したように、本出願の請求項１記載の光ピックアップ装置によれば、対物レンズ駆動装置とスライドベースを備えた光ピックアップ装置において、スライドベースを回路芯材と外装基材で形成し、回路芯材は外装基材が被覆された後に切除される外部フレームを有し、その外部フレームには金型に対する位置決め穴を設ける構成としたため、回路芯材及び外部フレームに設けた２以上の位置決め穴に金型に設けた２以上の位置決めピンを嵌合することによって金型内に回路芯材を位置決めし、その位置決め状態で外装基材をインサート成形して回路芯材と一体化させることができる。これにより、合成樹脂の流動等に伴う回路芯材の位置ズレや撓みを防止し、スライドベース内の電気回路の配線を安定して所定位置に固定することができ、スライドベース内における回路芯材に対する高精度な寸法要求に対応することができる。しかも、電気配線の機能を有する回路芯材が外装基材に一体成形されるため、ＦＦケーブルやコネクタ等の配線部品の使用数や使用量を少なくすることができ、取付作業工数の削減とコスト低減を図ることができるという効果が得られる。


【手続補正１７】
【補正対象書類名】明細書
【補正対象項目名】００７７
【補正方法】変更
【補正の内容】
【００７７】
本出願の請求項３記載の光ピックアップ装置によれば、外装基材の開口部を金型の支持ピンで形成する構成としたため、回路芯材の要切断部や要分離部を切断するための開口部を容易に形成することができ、開口部を形成するために金型の構造が複雑化されるのを防止することができるという効果が得られる。
本出願の請求項４記載の光ピックアップ装置によれば、回路芯材の露出部にコンデンサ、抵抗、レーザ光源等の電子部品を実装することができるという効果が得られる。
本出願の請求項５記載の光ピックアップ装置によれば、回路芯材には高さ方向の段差を設定する段部を設ける構成としたため、この段部を利用して電子部品を実装することにより、異なる高さ位置に所望の電子部品を立体的に配置することができるという効果が得られる。
【手続補正１８】
【補正対象書類名】明細書
【補正対象項目名】００７８
【補正方法】変更
【補正の内容】
【００７８】
本出願の請求項６記載の光ピックアップ装置によれば、回路芯材に外装基材を被覆して形成したスライドベースの開口部を用いて連通部を切断する構成としたため、回路芯材の電気回路としての余分な繋がりを断って所定の電気回路を形成することができるという効果が得られる。
本出願の請求項７記載の光ピックアップ装置によれば、回路芯材の連通部を支持するため金型に設けた支持ピンで外装基材の開口部を形成する構成としたため、金型の構造が複雑化されるのを防止することができるという効果が得られる。
本出願の請求項８記載の光ピックアップ装置によれば、回路芯材の露出部にコンデンサ、抵抗、レーザ光源等の電子部品を実装することができるという効果が得られる。
本出願の請求項９記載の光ピックアップ装置によれば、回路芯材には高さ方向の段差を設定する段部を設ける構成としたため、この段部を利用して電子部品を実装することにより、異なる高さ位置に所望の電子部品を立体的に配置することができるという効果が得られる。
【手続補正１９】
【補正対象書類名】明細書
【補正対象項目名】００７９
【補正方法】変更
【補正の内容】
【００７９】
本出願の請求項１０記載の光情報記録及び／又は再生装置によれば、ディスク回転装置と光ピックアップ装置を備えた光情報記録及び／又は再生装置において、光ピックアップ装置が対物レンズ駆動装置とスライドベースを有し、そのスライドベースを回路芯材と外装基材で形成し、回路芯材は外装基材が被覆された後に切除される外部フレームを有し、回路芯材及び外部フレームに位置決め穴を設ける構成とした。そのため、回路芯材及び外部フレームに設けた２以上の位置決め穴に金型に設けた２以上の位置決めピンを嵌合することによって金型内に回路芯材を位置決めし、その位置決め状態で外装基材をインサート成形して回路芯材と一体化させ、合成樹脂の流動等に伴う回路芯材の位置ズレや撓みを防止して、スライドベース内の電気回路の配線を安定して所定位置に固定できると共に、スライドベース内における回路芯材に対する高精度な寸法要求にも対応できる光ピックアップ装置を用いた小型で軽量な光情報記録及び／又は再生装置を提供することができる。しかも、光ピックアップ装置が小型、軽量であるため、光ピックアップ装置を高精度に駆動制御することができると共に、ＦＦケーブルやコネクタ等の配線部品の使用数や使用量を少なくすることができ、組立作業工数の削減とコスト低減を図ることができるという効果が得られる。
また、本出願の請求項１１記載の光情報記録及び／又は再生装置によれば、回路芯材に外装基材を被覆して形成したスライドベースの開口部を用いて連通部を切断する構成としたため、回路芯材の電気回路としての余分な繋がりを断って所定の電気回路を形成することができるという効果が得られる。